(57)【特許請求の範囲】
【請求項１】
画像データに対する一次変換処理を実行する一次変換手段と、
前記一次変換手段により変換されたデータを圧縮する圧縮手段と、
前記圧縮手段により圧縮されたデータを格納する記憶手段と、
前記記憶手段に格納されたデータを伸張する伸張手段と、
前記伸張手段で伸張されたデータに対して拡大処理を行う拡大手段と、
を有し、
前記一次変換手段は、縮小処理が必要な画像データに対しては、縮小処理を含む一次変換処理を実行し、拡大処理が必要な画像データに対しては、変倍処理以外の一次変換処理を実行し、
前記拡大手段は、前記一次変換手段により拡大処理を実行されていない前記拡大処理が必要な画像データに対して、拡大処理を実行することを特徴とする画像出力装置。
【発明の詳細な説明】
【０００１】
【発明の属する技術分野】
本発明は画像出力装置、特に、画像データを記憶するための手段と、画像データの解像度変換，一次変換等の画像処理を行うための手段とを有する画像出力装置に関するものである。
【０００２】
【従来の技術】
従来、この種の画像出力装置において、入力された画像データの解像度がプリンタ等の画像出力装置の解像度と異なる場合は、解像度変換した後、ページメモリに記憶してから出力していた。
【０００３】
図２に従来のこの種の画像出力装置の一例の構成ブロック図を示す。不図示のホストコンピュータ等より入力端子３０１から画像データが入力され、解像度変換回路３０２においてこの入力画像データの解像度がプリンタエンジン３０６の解像度と異なるとき、その入力画像データを縮小または拡大して解像度プリンタエンジン３０６の解像度に一致させるようにしていた。即ち、その入力画像データの解像度がプリンタエンジン３０６の解像度を越える場合には画像データを縮小し、また反対にこの入力画像データの解像度がプリンタエンジンの解像度より小さいときには画像データを拡大するものである。解像度変換された画像データは、圧縮回路３０３において画像データの圧縮に適した符号化方式、例えばＤＣＴ（離散的コサイン変換）等の直交変換、あるいはブロック符号化等の公知の符号化方式により圧縮され、メモリ３０４に格納される。
【０００４】
次にプリンタエンジン３０６が起動されると、メモリ３０４に格納されていた画像データは、伸張回路３０５にて圧縮する前のデータに戻され、プリンタエンジン３０６の同期信号に合わせて、プリンタエンジン３０６へ出力され、プリントアウトが実行されていた。
【０００５】
【発明が解決しようとする課題】
しかしながら、上記のような従来の画像出力装置においては、入力画像データの解像度が画像出力装置の解像度よりも小さいときには、解像度変換により入力画像データの画素数が増加するため、解像度変換後のデータ量が大きくなり、メモリの使用効率が悪化するという問題点があった。
【０００６】
本発明は、以上のような従来技術の問題点に鑑みてなされたもので、前記のような解像度変換の際に、入力画像データの画素数を増加させることなく圧縮処理を行うことにより、メモリを有効に活用し得るような画像出力装置の提供を目的としている。
【０００７】
【課題を解決するための手段】
本発明は、下記の技術的構成により前記目的を達成できたものである。
【０００８】
（１）画像データに対する一次変換処理を実行する一次変換手段と、前記一次変換手段により変換されたデータを圧縮する圧縮手段と、前記圧縮手段により圧縮されたデータを格納する記憶手段と、前記記憶手段に格納されたデータを伸張する伸張手段と、前記伸張手段で伸張されたデータに対して拡大処理を行う拡大手段と、を有し、前記一次変換手段は、縮小処理が必要な画像データに対しては、縮小処理を含む一次変換処理を実行し、拡大処理が必要な画像データに対しては、変倍処理以外の一次変換処理を実行し、前記拡大手段は、前記一次変換手段により拡大処理を実行されていない前記拡大処理が必要な画像データに対して、拡大処理を実行することを特徴とする画像出力装置。
【０００９】
【作用】
以上のような本発明構成により、一次変換を行う場合は、一次変換処理を拡大成分と拡大以外の成分とに分離し、この拡大以外の成分による一次変換処理をこの画像データをメモリに格納する前に行い、この拡大成分による一次変換処理（拡大処理）をこの画像データをメモリに格納した後に行うことにより、メモリに格納する画素数が削減され、メモリを有効に活用し得るようになる。
【００１０】
【実施例】
以下、本発明を実施例に基づいて説明する；
（実施例１）
図１に、本発明に係る画像出力装置の第一実施例の構成ブロック図（前記従来例の図２相当図）を示す。図中、１０１はホストコンピュータ等よりの入力端子、１０８は一次変換回路、１０３は画像データ圧縮回路、１０４はメモリ、１０５は画像データ伸張回路、１０９は拡大回路、１０７はプリンタエンジンである。
【００１１】
本実施例１は、入力画像データの一次変換処理に適用した事例であり、入力端子１０１から入力された画像データに一次変換処理を施すときは、一次変換回路１０８にてこの一次変換処理の内、拡大成分以外の処理を入力画像データに実行する。拡大成分以外の一次変換処理が施された入力画像データは、圧縮回路１０３にて圧縮され、メモリ１０４に格納される。この圧縮回路１０３は、入力画像データをＪＰＥＧ（国際標準化作業グループ）等の公知の符号化方式により圧縮し、メモリ１０４に格納する。
【００１２】
次にプリンタエンジン１０７が起動されると、メモリ１０４に格納された画像データは、伸張回路１０５により圧縮前のデータに伸張され、解像度拡大回路１０６に出力される。この拡大回路１０６は、上記一次変換処理の内、一次変換回路１０８にて実行されなかった拡大成分の処理を伸張された画像データに実行し、プリンタエンジン１０７に出力してプリントアウトが実行される。
【００１３】
以上のように、本実施例においては一次変換処理を拡大成分と拡大成分以外との２つの成分に分離し、拡大成分以外の処理を画像データ圧縮回路１０３の前段で行い、拡大成分の処理を画像データ伸張回路１０５の後段にて解像度変換を行うようにすることにより、画質劣下無しにメモリ１０４に格納する画素数を削減することができる。その結果、同じメモリ占有量とした場合には圧縮による損失を少なくすることができ、高画質化を期待し得る。また、同一の圧縮率とした場合にはメモリ占有量を少なくすることができ、余剰のメモリを別の用途に利用することができる。
【００１４】
【発明の効果】
以上説明したように、本発明によれば、一次変換処理を拡大成分と拡大成分以外との２つの成分に分離し、拡大成分以外の処理を画像データ圧縮回路の前段で行い、拡大成分の処理を画像データ伸張回路の後段にて解像度変換を行うようにすることにより、画質劣下無しに記憶手段に格納する画素数を削減することができる。その結果、同一のメモリ占有量とした場合には圧縮による損失を少なくすることが出き、高画質化を期待し得る。また、同一の圧縮率とした場合にはメモリ占有量を少なくすることができ、余剰のメモリを別の用途に利用することができる。
【図面の簡単な説明】
【図１】本発明の第一実施例の構成ブロック図
【図２】従来の画像出力装置の一例の構成ブロック図
【符号の説明】
１０３  画像データ圧縮回路
１０４  メモリ
１０５  画像データ伸張回路
１０７  プリンタエンジン
１０８  入力画像データの一次変換回路
１０９  画像データ拡大回路
【図１】
0003604708.tif 000002
【図２】
0003604708.tif 000003